(57)【要約】【課題】    本発明は、片手でワイヤハーネス用結束材を扱って結束又は解束作業が可能で、かつ、結束を確実にできるワイヤハーネス用結束材を提供することにある。【解決手段】ゴムまたは合成樹脂製である円筒形または４角以上の多角形の管の軸方向に斜めに全長にわたり線状の切れ目を一箇所設けた結束材であって、該切れ目のある管壁と反対側の管壁との二箇所に円形または長円形の孔を設けた構成であり、かつ、円筒形または４角以上の多角形の管の両端部に円弧状の切り欠き部を設けた構成であることを特徴とするワイヤハーネス用結束材。【選択図】図３
2005287176.tif 000002
【特許請求の範囲】
【請求項１】
ゴムまたは合成樹脂製である円筒形または４角以上の多角形の管の軸方向に斜めに全長にわたり線状の切れ目を一箇所設けた結束材であって、該切れ目のある管壁と反対側の管壁との二箇所に円形または長円形の孔を設けた構成であることを特徴とするワイヤハーネス用結束材。
【請求項２】
前記円筒形または４角以上の多角形の管の両端部に円弧状の切り欠き部を設けた構成であることを特徴とする請求項１記載のワイヤハーネス用結束材。
【発明の詳細な説明】
【技術分野】
【０００１】
本発明は、配線等のワイヤハーネスを束ねるワイヤハーネス用結束材に関するものである。      
【背景技術】
【０００２】
配電盤を始めとする電機産業分野や自動車、航空機等の輸送産業分野等において機器内又は機器間を電気的に結合する電気配線はその種類と数が多く、また、電気配線の太さも種々あり、かつ、端子間の長さもまちまちである。これらの太さも異なり、端子間の長さが異なった電気配線は予め結束されてワイヤハーネスとなり、これを機器内又は機器間に配設してから端子を結合して電気配線群が完成する
【０００３】
このワイヤハーネスの結束に用いられるワイヤハーネス用結束材は結束することが容易であって、しかも結束を解くのも容易であることが求められ、従来から図４、図５（ａ）、（ｂ）に示されるような結束材が用いられている。その中、図５（ａ）、（ｂ）は本出願人が意匠登録した結束材である（特許文献１，２参照）。
【０００４】
【特許文献１】意匠登録第９９５５４５号公報（使用状態を示す参考図）
【特許文献２】意匠登録第１０９４０３５号公報（４頁、使用状態を示す参考図）
【発明の開示】
【発明が解決しようとする課題】
【０００５】
解決しょうとする問題点は、ワイヤハーネス用結束材を用いたとき片手で結束又は解束することが容易でない点である。前述のワイヤハーネス用結束材は結束又は解束するにあたり、それなりに有為であるが、結束の場合は両手を使って配線束を結束する必要があり、また、解束の場合、図４の結束材は両手で解束する場合が多く、図５（ａ）、（ｂ）の結束材も片手で可能であるが、結束材が弾性材のゴムであるため、解束時に飛び散る問題があり、結局、多数の結束を行うワイヤハーネスの結束作業において、両手でこれらを扱わねばならない問題があった。
【０００６】
本発明は、かかる問題点を解決するために為したものであって、片手でワイヤハーネス用結束材を扱って結束又は解束作業が可能で、かつ、結束を確実にできるワイヤハーネス用結束材を提供することにある。
【課題を解決するための手段】
【０００７】
本発明に係わる請求項１のワイヤハーネス用結束材は、ゴムまたは合成樹脂製である円筒形または４角以上の多角形の管の軸方向に斜めに全長にわたり線状の切れ目を一箇所設けた結束材であって、該切れ目のある管壁と反対側の管壁との二箇所に円形または長円形の孔を設けた構成であることを特徴とする。
【０００８】
本発明のワイヤハーネス用結束材（以下、結束材と称す）は、結束状態において円筒形又は多角形の管中にワイヤハーネスを取り込んで結束する。このゴムまたは合成樹脂製の管は弾力性を有し、かつ、管の形状が円筒形又は多角形であるから、その形状維持性に優れており、ワイヤハーネスを管中に収めて確実に結束できる。一方、結束するために本発明の結束材をワイヤハーネスに嵌めるとき、又は結束材を取り去って解束する場合には、本発明の目的である片手で結束、解束を行うために、結束材は、図３（ｂ）に示す如く、片手で拡張展開できるように容易に変形することが求められる。この方策として、本発明は管の軸方向に斜めに切れ目を設けたことと、該切れ目のある管壁と反対側の管壁との二箇所に円形または長円形の孔を設けたのである。前述の切れ目を斜めにしているのは、管の拡張展開において変形抵抗を小さくすると同時に、結束状態のときに外力が加わっても軸方向の切れ目がある場合に比べ容易にワイヤハーネスが切れ目から抜けないようにしている。
【０００９】
また、本発明に係わる請求項２のワイヤハーネス用結束材は、請求項１のワイヤハーネス用結束材において、円筒形または４角以上の多角形の管の両端部に円弧状の切り欠き部を設けた構成であることを特徴とする。
【００１０】
結束材の管の肉厚が厚くなると、前記の拡張展開に対する変形抵抗がより大きくなるので、この方策として、管の両端部に円弧状の切り欠き部を設けて変形をし易くしている。また、結束、解束時において手指を該切り欠き部に掛けて外力を加え易くもしている。
【発明の効果】
【００１１】
本発明のワイヤハーネス用結束材は、ワイヤハーネスの結束又は解束において片手の手指だけを用いて結束材のワイヤハーネスへの嵌め込み又は取り外しが容易に行えるので、ワイヤハーネスを多く用いる電機産業分野や自動車、航空機等の輸送産業分野等において配線作業に関し生産性向上及び省力化に貢献することができる。
【発明を実施するための最良の形態】
【００１２】
以下、本発明の実施形態を図面に基づいて説明する。図１は、本発明に係るワイヤハーネス用結束材の全体斜視図で、（ａ）は平面視、（ｂ）は裏面視である。図２は、本発明に係るワイヤハーネス用結束材の六面図及び断面図で、（ａ）は平面図、（ｂ）は底面図、（ｃ）は正面図、（ｄ）は背面図、（ｅ）は左側面図、（ｆ）は右側面、（ｇ）はＡ−Ａ断面図、（ｈ）はＢ−Ｂ断面図である。図３は、本発明に係るワイヤハーネス用結束材の斜視図で、（ａ）はワイヤハーネスの結束状態を示し、（ｂ）は手指で展開拡張した状態である。
【００１３】
図１、図２においてワイヤハーネス用結束材１（以下、結束材と称す）は、ゴム材又はポリエチレン、ポリプロピレン、塩化ビニール等の合成樹脂材からなる弾力性を有する円筒管１ａである。該結束材の代表的な寸法は、径で５〜３０ｍｍ、長さで１０〜５０ｍｍ、管肉厚２〜５ｍｍである。径は結束するワイヤハーネスの束径に左右され、長さは結束するワイヤハーネスの状態、即ち直線状か、曲線状かによって左右される。また、管肉厚は結束状態に置くワイヤハーネスの大きさ、即ち径や単位重量によっても左右されるが、結束材の形状維持性と結束、解束時における結束材の拡張展開の容易性とに関連して決めるのが肝要である。
【００１４】
該円筒管１ａには、図１（ａ），（ｂ）に示すように、軸方向に斜めに直線状の切れ目２を設け、同時に該円筒管１ａの中央部で斜めの直線状の切れ目２を切断する形で管壁に上部穴３を設け、かつ、そのほぼ軸対称に下部穴４を設けている。直線状の切れ目２の軸方向に対する斜めの角度は、結束状態にあるワイヤハーネス１０に外力が加わった時でも切れ目３から抜け外れないことを要し、１０°前後がよい。上部穴３、下部穴４の各穴径は円筒管１ａの径の７０〜８０％に相当するのが、結束材の拡張展開性の点でよい。前記穴は円形でなくて、長円形の方が拡張展開がより容易になるのでよいが、製作のとき長軸短軸方向の調整に手間がかかる。
【００１５】
さらに、該円筒管１ａには、下部穴４の中心を通る線上で、円筒管１ａの軸方向の両端部で管壁に円弧状の切り欠き部５を設ける。この切り欠き部５は、結束材１の結束、解束時の拡張展開を容易にし、かつ、拡張展開する時に手指を掛けやすくしている。結束材の拡張展開性に関連して、管肉厚が厚いほど切り欠き部５の面積は大きくするほうがよい。
【００１６】
本実施例は円筒管状の結束材について述べているが、これに拘束されることなく、４角以上の多角形の管でも本発明の目的に適する。また、円筒管の結束材に比し、角張っているので回り難いから方向性が安定し、また滑り難いという特徴もある。
【００１７】
本発明に係るワイヤハーネス用結束材１の製作は、一つの方法は必要長さの円筒形又は多角形の管１ａをポンチによる穿孔加工で上部穴３及び下部穴４を形成してから、上部穴３を跨いで管壁を切断して切れ目２を形成し、次いで別のポンチにより切り欠き部５を穿孔して形成することで結束材１を製作できる。また、別の製作方法は上部穴３、下部穴４及び切り欠き部５を形成した円筒形又は多角形の型にゴム材又は合成樹脂材を加圧装入して射出成型する。次いで、切れ目２を回転ソーで切断することで結束材１を得ることができる。この場合、ゴム材として天然ゴム、ニトリルゴム以下の多種多様なゴム材を用いることができる。また、合成樹脂材として、ポリエチレン、ポリプロピレン、塩化ビニール等の熱可塑性樹脂が成形性と加熱、加圧流動性が良好で、結束材１の射出成型に適する。前述の本発明に係るワイヤハーネス用結束材１の製作方法は、代表的な一例に過ぎず本発明がこれに拘束されることはない。
【００１８】
本発明に係るワイヤハーネス用結束材１を用いたワイヤハーネス１０の結束、解束作業については、図３（ｂ）に示すように結束材１の両端の切り欠き部５に手指を掛けて圧縮すると、結束材１は切れ目２が拡開し、同時に上部穴３と切れ目２とで縁取られる部分が花弁のように拡張展開するので、容易にワイヤハーネス１０を下部穴４上に載せるか、又はワイヤハーネス１０に図３（ｂ）の結束材１をひっくり返した形で被せることができる。次いで、切り欠き部５を圧縮していた力を抜けば、図３（ａ）に示すように結束材１はワイヤハーネス１０を中に収めて結束することができる。したがって、結束材１の切り欠き部５に外力を加えるか、加えないかで、該結束材１は本来の形を保って結束状態を容易に作り、また、外力を加えると結束材１を拡張展開してワイヤハーネス１０に結束材１を容易に被せることができる状態を作れる。本発明に係るワイヤハーネス用結束材１を用いるのにロボットを使えば、本発明の結束材１の結束、解束作業について自動化及び省力化を実現させることができる。
【産業上の利用可能性】
【００１９】
本発明の係わるワイヤハーネス用結束材は、電機産業分野や自動車、航空機等の輸送産業分野等の配線に関する結束又は解束作業において、省力化及び自動化に、ひいては生産性向上に利用することができる
【図面の簡単な説明】
【００２０】
【図１】本発明に係るワイヤハーネス用結束材の全体斜視図で、（ａ）は平面視、（ｂ）は裏面視である。
【図２】本発明に係るワイヤハーネス用結束材の六面図及び断面図で、（ａ）は平面図、（ｂ）は底面図、（ｃ）は正面図、（ｄ）は背面図、（ｅ）は左側面図、（ｆ）は右側面、（ｇ）はＡ−Ａ断面図、（ｈ）はＢ−Ｂ断面図である。
【図３】本発明に係るワイヤハーネス用結束材の斜視図で、（ａ）はワイヤハーネスの結束状態を示し、（ｂ）は手指で展開拡張した状態である。
【図４】従来例に係るワイヤハーネス用結束材の結束状態を示す斜視図である。
【図５】従来例に係る別のワイヤハーネス用結束材の結束状態を示す斜視図である。
【符号の説明】
【００２１】
１：ワイヤハーネス用結束材  １ａ：本体        ２：切れ目      ３：上部穴
４：下部穴            ５：切り欠き部         
１０：ワイヤハーネス      １１：ワイヤハーネス用結束材          
【図１】
2005287176.tif 000003
【図２】
2005287176.tif 000004
【図３】
2005287176.tif 000005
【図４】
2005287176.tif 000006
【図５】
2005287176.tif 000007